(57)【要約】【課題】  受付手段の操作によって画像形成装置が不要に省電力状態に移行してしまうのを防止する。【解決手段】  画像形成装置は、物体を検知する検知手段と、ユーザの操作を受け付ける受信手段と、検知手段によって物体が検知された場合に、画像形成装置の電力状態を第１電力状態から第１電力状態とは異なる第２電力状態に移行させ、且つ、受信手段がユーザの操作を受け付けた場合に、画像形成装置の電力状態を第２電力状態から第１電力状態に移行させる移行手段と、を備える。そして、移行手段は、検知手段によって物体が検知された後、画像形成装置が第２電力状態に移行するまでの間に受付手段が受け付けたユーザの操作に応じて、画像形成装置の電力状態を第２電力状態から第１電力状態に移行させない。【選択図】  図８
2014200996.tif 000002
【特許請求の範囲】
【請求項１】
画像形成装置であって、
物体を検知する検知手段と、
ユーザの操作を受け付ける受信手段と、
前記検知手段によって物体が検知された場合に、前記画像形成装置の電力状態を第１電力状態から前記第１電力状態とは異なる第２電力状態に移行させ、且つ、前記受信手段がユーザの操作を受け付けた場合に、前記画像形成装置の電力状態を前記第２電力状態から前記第１電力状態に移行させる移行手段と、を備え、
前記移行手段は、前記検知手段によって物体が検知された後、前記画像形成装置が前記第２電力状態に移行するまでの間に前記受付手段が受け付けたユーザの操作に応じて、前記画像形成装置の電力状態を前記第２電力状態から前記第１電力状態に移行させない、ことを特徴とする画像形成装置。
【請求項２】
前記画像形成装置の電力状態を示す情報を記憶する記憶手段をさらに備え、
前記移行手段は、
前記受信手段によってユーザの操作が受け付けられた場合、前記記憶手段に前記第１電力状態を示す情報が記憶されるならば、前記画像形成装置の電力状態を前記第１電力状態から前記第２電力状態に移行させ、前記記憶手段に前記第２電力状態を示す情報が記憶されるならば、前記画像形成装置の電力状態を前記第１電力状態から前記第２電力状態に移行させる、ことを特徴とする請求項１に記載の画像形成装置。
【請求項３】
前記受付手段が受け付けたユーザの操作による割り込みを有効にするか否かを示す情報を記憶する記憶手段をさらに備え、
前記移行手段は、
前記記憶手段に記憶される前記情報が前記割り込みを無効にすることを示す場合、前記検知手段によって物体が検知された後、前記画像形成装置が前記第２電力状態に移行するまでの間に前記受付手段が受け付けたユーザの操作に応じて、前記画像形成装置の電力状態を前記第２電力状態から前記第１電力状態に移行させないで、
前記記憶手段に記憶される前記情報が前記割り込みを有効にすることを示す場合、前記検知手段によって物体が検知された後、前記画像形成装置が前記第２電力状態に移行するまでの間に前記受付手段が受け付けたユーザの操作に応じて、前記画像形成装置の電力状態を前記第２電力状態から前記第１電力状態に移行させる、ことを特徴とする請求項１又は２に記載の画像形成装置。
【請求項４】
前記検知手段は、複数の検知部を備えるセンサであることを特徴とする請求項１乃至３の何れか１項に記載の画像形成装置。
【請求項５】
前記センサは、複数の検知部がマトリクス状に配置されたアレイ型のセンサを含むことを特徴とする請求項４に記載の画像形成装置。
【請求項６】
前記検知手段は、赤外線を受光する赤外線センサであることを特徴とする請求項１乃至５の何れか１項に記載の画像形成装置。
【請求項７】
前記第１電力状態は、前記第２電力状態より消費電力量が小さい、ことを特徴とする請求項１乃至６の何れか１項に記載の画像形成装置。
【請求項８】
用紙に画像を形成する画像形成手段をさらに備える、ことを特徴とする請求項１乃至７の何れか１項に記載の画像形成装置。
【請求項９】
前記第１電力状態では前記画像形成手段への電力の供給が停止され、且つ、前記第２電力状態では前記画像形成手段へ電力が供給される、ことを特徴とする請求項８に記載の画像形成装置。
【請求項１０】
画像形成装置の制御方法であって、
物体を検知する検知手段によって物体が検知された場合に、前記画像形成装置の電力状態を第１電力状態から前記第１電力状態とは異なる第２電力状態に移行させる第１工程と、
ユーザの操作を受け付ける受付手段によってユーザの操作が受け付けられた場合に、前記画像形成装置の電力状態を前記第２電力状態から前記第１電力状態に移行させる第２工程と、
前記検知手段によって物体が検知された後、前記画像形成装置が前記第２電力状態に移行するまでの間に、前記受付手段がユーザの操作を受け付けた場合、当該ユーザの操作に応じて前記画像形成装置の電力状態を前記第２電力状態から前記第１電力状態に移行させないよう制御する制御工程と、を有することを特徴とする画像形成装置の制御方法。
【請求項１１】
画像形成装置のコンピュータに、
物体を検知する検知手段によって物体が検知された場合に、前記画像形成装置の電力状態を第１電力状態から前記第１電力状態とは異なる第２電力状態に移行させる第１工程と、
ユーザの操作を受け付ける受付手段によってユーザの操作が受け付けられた場合に、前記画像形成装置の電力状態を前記第２電力状態から前記第１電力状態に移行させる第２工程と、
前記検知手段によって物体が検知された後、前記画像形成装置が前記第２電力状態に移行するまでの間に、前記受付手段がユーザの操作を受け付けた場合、当該ユーザの操作に応じて前記画像形成装置の電力状態を前記第２電力状態から前記第１電力状態に移行させないよう制御する制御工程と、を実行させるためのプログラム。
【請求項１２】
請求項１１に記載のプログラムを記憶した記録媒体。
【発明の詳細な説明】
【技術分野】
【０００１】
本発明は、人などの物体を検知するセンサを備えた画像形成装置などに関する。
【背景技術】
【０００２】
画像形成装置に設けられたセンサが人などの物体を検知した場合に、画像形成装置が省電力状態から復帰する技術が知られている（特許文献１参照）。特許文献１に開示される画像形成装置は、当該画像形成装置の周りの所定範囲に存在する移動体を検出するセンサを有している。当該センサが前記移動体を検知した場合に、画像形成装置が省電力状態から省電力状態より消費電力量が大きいスタンバイ状態に移行する。
【０００３】
特許文献１に開示される画像形成装置は、上記したセンサに加えて、画像形成装置の電力状態を省電力状態からスタンバイ状態に移行させる節電ボタンを備えている。ユーザにより節電ボタンが押下されると、画像形成装置は、省電力状態からスタンバイ状態に移行する。
【０００４】
この節電ボタンは、画像形成装置の電力状態を省電力状態からスタンバイ状態に復帰させる機能だけでなく、画像形成装置の電力状態をスタンバイ状態から省電力状態に移行させる機能を兼ねる場合がある（特許文献２参照）。画像形成装置の電力状態を示すパワーモードレジスタの値が“００１”（画像形成装置が省電力状態であることを示す）のときに、節電ボタンが押下されると、画像形成装置は、画像形成装置の電力状態を省電力状態からスタンバイ状態に移行させる。また、画像形成装置の電力状態を示すパワーモードレジスタの値が“０１０”（画像形成装置がスタンバイ状態であることを示す）のときに、節電ボタンが押下されると、画像形成装置は、画像形成装置の電量状態をスタンバイ状態から省電力状態に移行させる。
【先行技術文献】
【特許文献】
【０００５】
【特許文献１】特開２０１２−１１８２５３号公報
【特許文献２】特開２０１２−２４８９６１号公報
【発明の概要】
【発明が解決しようとする課題】
【０００６】
センサが人などの物体を検知したことに応じて省電力状態からスタンバイ状態に移行する画像形成装置において、センサが人などの物体を検知してから画像形成装置が省電力状態からスタンバイ状態に復帰するまでに所定の時間を要する。なぜなら、電力の供給が開始されたデバイスの起動処理に時間を要するからである。このため、ユーザが画像形成装置の前に到着したにも関わらず、画像形成装置がスタンバイ状態に復帰していない場合がある。そうすると、画像形成装置の前に到着したユーザは、画像形成装置がスタンバイ状態に復帰していないと勘違いして、画像形成装置を省電力状態からスタンバイ状態に復帰させるために節電ボタンを押下する。
【０００７】
しかしながら、センサが物体を検知したことに応じて画像形成装置の電力状態が省電力状態からスタンバイ状態に移行している間に節電ボタンが押下されると、画像形成装置は、当該節電ボタンの押下をスタンバイ状態から省電力状態への移行指示だと判断する。なぜなら、センサが人などの物体を検知した時点で、画像形成装置のパワーモードレジスタの値が“０１０”になって、当該レジスタの値が“０１０”のときに節電ボタンが押下されるからである。その結果、画像形成装置は、省電力状態からスタンバイ状態に移行した後、すぐに省電力状態に移行してしまう。
【０００８】
そこで、本発明は、センサによって物体が検知されたことに応じて画像形成装置が省電力状態から復帰している間に節電ボタンが押下されたとしても、画像形成装置が不要に省電力状態に移行してしまうのを防止することを目的とする。
【課題を解決するための手段】
【０００９】
本発明の画像形成装置は、物体を検知する検知手段と、ユーザの操作を受け付ける受信手段と、前記検知手段によって物体が検知された場合に、前記画像形成装置の電力状態を第１電力状態から前記第１電力状態とは異なる第２電力状態に移行させ、且つ、前記受信手段がユーザの操作を受け付けた場合に、前記画像形成装置の電力状態を前記第２電力状態から前記第１電力状態に移行させる移行手段と、を備え、前記移行手段は、前記検知手段によって物体が検知された後、前記画像形成装置が前記第２電力状態に移行するまでの間に前記受付手段が受け付けたユーザの操作に応じて、前記画像形成装置の電力状態を前記第２電力状態から前記第１電力状態に移行させない、ことを特徴とする。
【発明の効果】
【００１０】
本発明によれば、センサによって物体が検知されたことに応じて画像形成装置が省電力状態から復帰している間に節電ボタンが押下されたとしても、画像形成装置が不要に省電力状態に移行してしまうのを防止することができる。
【図面の簡単な説明】
【００１１】
【図１】第１実施形態の画像形成装置の正面図である。
【図２】画像形成装置の平面図である。
【図３】画像形成装置のハードウェアブロック図である。
【図４】画像形成装置の電源系を示すブロック図である。
【図５】画像形成装置の電力制御部の詳細を示すブロック図である。
【図６】画像形成装置の電力遷移図である。
【図７】画像形成装置の人感センサの検知状態を示した図である。
【図８】人感センサによる割り込みが発生した場合の電力制御部の動作を説明するためのフローチャートである。
【図９】節電ボタンによる割り込みが発生した場合の電力制御部の動作を説明するためのフローチャートである。
【図１０】他の割り込みが発生した場合の電力制御部の動作を説明するためのフローチャートである。
【図１１】第２実施形態の画像形成装置の人感センサによる割り込みが発生した場合の電力制御部の動作を説明するためのフローチャートである。
【図１２】第３実施形態の画像形成装置の平面図である。
【図１３】第３実施形態の画像形成装置のハードウェアブロック図である。
【発明を実施するための形態】
【００１２】
以下、本発明を実施するための形態について図面を用いて説明する。
【００１３】
（第１実施形態）
＜画像形成装置の概略＞
図１に示すように、第１実施形態の画像形成装置１００は、コピー機能、プリント機能、スキャン機能、ＦＡＸ機能などの複数の機能を有するＭＦＰ（Ｍｕｌｔｉ  ｆｕｎｃｔｉｏｎ  Ｐｅｒｉｐｈｅｒａｌ）である。なお、ここでは、ＭＦＰについて説明するが、本発明はＭＦＰに限定されず、ＳＦＰ（Ｓｉｎｇｌｅ  ｆｕｎｃｔｉｏｎ  Ｐｅｒｉｐｈｅｒａｌ）であっても良い。この画像形成装置１００は、インターネットなどのネットワーク通信網に接続されている。画像形成装置１００は、ネットワーク通信網を介して、１又は複数のＰＣ（パーソナルコンピュータ）などの外部装置１０１と通信することができる。また、画像形成装置１００は、電話回線網に接続されている。画像形成装置１００は、電話回線網を介して、ファクシミリ受信およびファクシミリ送信を実行することができる。
【００１４】
第１実施形態の画像形成装置１００は、画像形成装置１００に人などの物体が接近したことを検知するための人感センサ６１０を備えている。この人感センサ６１０が検知する物体は、人、動物などの生物だけでなく、ロボットなどの無生物であっても良い。人感センサ６１０によって人などの物体が検知された場合に、画像形成装置１００が省電力状態（第１電力状態）（Ｓ２）からスタンバイ状態（第２電力状態）（Ｓ１）に移行する。画像形成装置１００の電力状態については、後述する。
【００１５】
図１および図２に示すように、人感センサ６１０は、画像形成装置１００の正面に取り付けられている。画像形成装置１００の正面に存在する物体を検知するために、人感センサ６１０は、画像形成装置１００の正面に検知範囲ＳＡを有する。
【００１６】
図３に示すように、画像形成装置１００は、コントローラ部２００と、ファックス部３００と、ＡＤＦ（Ａｕｔｏ  Ｄｏｃｕｍｅｎｔ  Ｆｅｅｄｅｒ）４００と、操作部５００と、センサユニット６００と、ＬＡＮコントローラ７００と、ストレージ８００と、プリンタ制御部９００と、プリンタ部９１０と、スキャナ制御部９２０と、スキャナ部９３０と、を備えている。
【００１７】
＜コントローラ部２００について＞
コントローラ部２００は、画像形成装置１００の各部の動作を制御する。コントローラ部２００は、ＣＰＵ２１０、ＲＯＭ２２０、ＲＡＭ２３０、画像描写部２４０、タイマ２５０、および電力制御部２６０を有している。
【００１８】
ＣＰＵ２１０は、コントローラ部２００を制御するソフトウェアプログラムを実行する。
【００１９】
ＲＯＭ２２０は、画像形成装置１００の起動プログラム、各種設定値等を記憶する。
【００２０】
ＲＡＭ２３０は、ＣＰＵ２１０が実行するソフトウェアプログラムで使用されるデータを一時的に記憶する。
【００２１】
画像描写部２４０は、スキャナ部９３０で読み取られた画像データおよび外部装置１０１から受信したＰＤＬ（Ｐａｇｅ  Ｄｅｓｃｒｉｐｔｉｏｎ  Ｌａｎｇｕａｇｅ）データに基づいて生成した画像データに色空間変換などの画像処理を行う。そして、画像描写部２４０は、画像処理された画像データをビットマップデータに変換する。ビットマップデータは、プリンタ部９１０に出力されて、プリンタ部９１０が当該ビットマップデータに基づいて用紙に画像を形成する。
【００２２】
タイマ２５０は、時間を計時する。
【００２３】
電力制御部２６０は、画像形成装置１００の各部への電力の供給および遮断を制御する。なお、電力制御部２６０の詳細は、後述する。
【００２４】
＜ファックス部３００について＞
ファックス部３００は、電話回線網を介してファクシミリの受信、およびファクシミリの送信を行う。このファックス部３００は、ＣＰＵ３０１、ＲＯＭ３０２、ＲＡＭ３０３、モデム３０４および受信検知部３０５を有する。
【００２５】
ＣＰＵ３０１は、コントローラ部２００と連携してファクシミリの送信および受信の制御を行う。
【００２６】
ＲＯＭ３０２は、ファックス部３００の起動プログラムや各種設定値を記憶する。
【００２７】
ＲＡＭ３０３は、ＣＰＵ３０１が実行するソフトウェアプログラムで使用されるデータを一時的に記憶する。
【００２８】
モデム３０４は、ファクシミリの受信および送信のための変調を行う。
【００２９】
受信検知部３０５は、ファクシミリを受信したことを検知する。そして、受信検知部３０５は、ファクシミリを受信したことを検知した場合に、電力制御部２６０に割り込み信号Ｉｎｔｅｒｒｕｐｔ＿Ｆを送信する。
【００３０】
＜ＡＤＦ４００について＞
ＡＤＦ４００は、スキャナ部９３０の原稿読取部（図示せず）に、自動的に原稿を給紙する。このＡＤＦ４００は、セットされた原稿を検知するための原稿検知センサ４０１を有している。原稿検知センサ４０１は、原稿が置かれたことを検知した場合、電力制御部２６０に割り込み信号Ｉｎｔｅｒｒｕｐｔ＿Ｄを送信する。
【００３１】
＜操作部５００について＞
図２に示すように、操作部５００は、表示部５１０と各種キー５２０とを有している。
【００３２】
表示部５１０は、画像形成装置１００のステータスを表示するステータス画面、コピー機能やファックス機能を実行するために必要な情報を入力するための設定画面などを表示する。
【００３３】
各種キー５２０は、テンキー５２１、スタートキー５２２および節電ボタン５２３を含む。節電ボタン５２３は、画像形成装置１００の電力状態を移行させるために設けられている。この節電ボタン５２３は、ユーザの操作を受付ける。画像形成装置１００が省電力状態（Ｓ２）のときにユーザによって節電ボタン５２３が押下されると、画像形成装置１００は省電力状態（Ｓ２）からスタンバイ状態（Ｓ１）に移行する。また、画像形成装置１００がスタンバイ状態（Ｓ１）のときにユーザによって節電ボタン５２３が押下されると、画像形成装置１００はスタンバイ状態（Ｓ１）から省電力状態（Ｓ２）に移行する。節電ボタン５２３が押下された場合、電力制御部２６０に割り込み信号Ｉｎｔｅｒｒｕｐｔ＿Ｏを送信する。
【００３４】
＜センサユニット６００について＞
図３に示すように、センサユニット６００は、上記した人感センサ６１０と、人感センサ６１０の検知結果を解析する制御回路６２０とを有する。人感センサ６１０は、複数の検知部がマトリクス状に配置された赤外線アレイ型センサである。各検知部は、人などの熱源から照射される赤外線を受光して、当該受光した赤外線を電気信号に変換して出力するパッシブセンサである。本実施形態の各検知部は、焦電効果によって赤外線を検知する素子である。なお、当該人感センサ６１０に利用される各検知部は、上記したパッシブセンサに限らず、対象物に赤外線を照射して、その対象物からの反射光を受信するアクティブセンサであっても良い。制御回路６２０は、人感センサ６１０の各検知部から出力された電気信号に基づいて、物体が画像形成装置１００に接近したか否かを判断する。制御回路６２０によって物体が画像形成装置１００に接近したと判断された場合、制御回路６２０は、電力制御部２６０に割り込み信号Ｉｎｔｅｒｒｕｐｔ＿Ｓを出力する。図７（Ａ）は、複数の検知部のいずれもが物体を検知しない状態である。図７（Ｂ）は、複数の検知部の一部の検知部（図７（Ｂ）では、５個の検知部）が物体を検知した状態である。図７（Ｃ）は、複数の検知部の一部の検知部（図７（Ｃ）では、１１個の検知部）が物体を検知した状態である。第１実施形態の制御回路６２０は、１０個以上の検知部が物体を検知した場合に、物体が画像形成装置１００に接近したと判定する。このとき、制御回路６２０は、電力制御部２６０に割り込み信号Ｉｎｔｅｒｒｕｐｔ＿Ｓを出力する。なお、１０個以上の検知部が物体を検知した場合に、物体が画像形成装置１００に接近したと判定したが、物体を検知する検知部の個数は、１０個に限定されない。なお、物体を検知する検知部の個数が１０個以上となっても、図７（Ｄ）に示すように、物体を検知する検知部が連続しない場合、制御回路６２０は、物体が画像形成装置１００に接近したと判断しない。
【００３５】
人感センサ６１０は、上記した赤外線アレイ型センサに限定されない。例えば、人感センサ６１０は、赤外線センサをライン状に配列した赤外線ライン型センサであっても良い。また、人感センサ６１０は、人から放射される赤外線を感知しその変化量によって人の有無を判断する焦電センサをマトリクス状に配列した焦電アレイ型センサであっても良いし、焦電センサをライン状に配列した焦電ライン型センサであっても良い。また、人感センサ６１０は、上記した赤外線センサと焦電センサとから構成されても良い。また、人感センサ６１０としてカメラを利用しても良い。なお、物体が画像形成装置１００に接近したと判断する方法は、上記したように所定数以上の素子が物体を検知したときに物体が画像形成装置１００に接近したと判断する。
【００３６】
＜ＬＡＮコントローラ７００について＞
図３に示すように、ＬＡＮコントローラ７００は、ネットワーク通信網を介して、外部装置１０１から送信されるデータを受信する。このＬＡＮコントローラ７００は、省電力状態（Ｓ２）で電力が供給されている。省電力状態（Ｓ２）でＬＡＮコントローラ７００が外部装置１０１から印刷要求などのパケットを受信した場合、電力制御部２６０に割り込み信号Ｉｎｔｅｒｒｕｐｔ＿Ｌを出力する。これにより、ＬＡＮコントローラ７００は、当該パケットを処理することが可能なスタンバイ状態（Ｓ１）に移行する。また、ＬＡＮコントローラ７００は、外部装置１０１から状態の問い合わせなどのパケットを受信した場合、省電力状態（Ｓ２）のまま、当該パケットに対して応答する代理応答機能を有している。
【００３７】
＜ストレージ８００について＞
ストレージ８００は、ＨＤＤ（ハードディスク装置）である。なお、ストレージ８００として、ＨＤＤ以外のＳＳＤなどを用いても良い。
＜プリンタ制御部９００について＞
プリンタ制御部９００は、例えば電子写真方式に従って記録用紙に画像を形成するプリンタ部９１０を制御する。このプリンタ制御部９００には、後述する電源装置１５０の第３電源部１５３から電力が供給される。
【００３８】
＜スキャナ制御部９２０について＞
スキャナ制御部９２０は、原稿に形成される画像を光学的に読み取るスキャナ部９３０を制御する。このスキャナ制御部９２０には、後述する電源装置１５０の第３電源部１５３から電力が供給される。
【００３９】
＜電源装置１５０について＞
また、画像形成装置１００は、上記した各ブロックに電力を供給する電源装置１５０を備えている。
【００４０】
図４に示すように、電源装置１５０は、交流電源Ｐから供給される交流電圧を直流電圧に変換して画像形成装置１００の各部に電力を供給する。電源装置１５０は、３．３Ｖの電圧を生成する第１電源部１５１と、１２Ｖの電圧を生成する第２電源部１５２と、２４Ｖの電圧を生成する第３電源部１５３と、を有している。また、電源装置１５０は、第２電源部１５２への交流電圧の入力／遮断を切り替えるリレー１５４、および第３電源部１５３への交流電圧の入力／遮断を切り替えるリレー１５５を有している。コントローラ部２００の電力制御部２６０がリレー１５４および１５５のオン状態およびオフ状態を切り替える。具体的には、電力制御部２６０は、リレー１５４に対して、Ｒｅｌａｙ＿ＯＮ信号を出力して、リレー１５４をオン状態にし、Ｒｅｌａｙ＿ＯＦＦ信号を出力して、リレー１５４をオフ状態にする。また、電力制御部２６０は、リレー１５５に対して、Ｒｅｌａｙ＿ＯＮ信号を出力して、リレー１５５をオン状態にし、Ｒｅｌａｙ＿ＯＦＦ信号を出力して、リレー１５５をオフ状態にする。
【００４１】
上記した各電源部（第１電源部１５１、第２電源部１５２、第３電源部１５３）と交流電源Ｐとの間には、スイッチ１５６が設けられている。このスイッチ１５６は、ユーザによってオン状態およびオフ状態が切り替えられる。ユーザがスイッチ１５６をオン状態にすると、交流電源Ｐから画像形成装置１００に電力が供給される。ユーザがスイッチ１５６をオフ状態にすると、交流電源Ｐから画像形成装置１００への電力供給が遮断される。
【００４２】
第１電源部１５１は、生成した電圧を、コントローラ部２００の電力制御部２６０、およびＲＡＭ２３０に供給する。また、第１電源部１５１は、生成した電圧を、センサユニット６００、ＬＡＮコントローラ７００、操作部５００の節電ボタン５２３、ＡＤＦ４００の原稿検知センサ４０１、およびファックス部３００の受信検知部３０５に供給する。
【００４３】
第２電源部１５２は、生成した電圧を、コントローラ部２００のＣＰＵ２１０、ＲＯＭ２２０、画像描写部２４０に供給する。また、第２電源部１５２は、生成した電圧を、操作部５００の節電ボタン５２３以外の部分（図示しないバックライトなど）に供給する。また、第２電源部１５２は、生成した電圧を、ＡＤＦ４００の原稿検知センサ４０１以外の部分、ファックス部３００の受信検知部３０５以外の部分（ＣＰＵ３０１、ＲＯＭ３０２、ＲＡＭ３０３、モデム３０４）、およびストレージ８００に供給する。
【００４４】
第３電源部１５３は、生成した電圧を、プリンタ制御部９００およびスキャナ制御部９２０に供給する。
【００４５】
＜電力制御部２６０について＞
ここで、図５を参照して電力制御部２６０の詳細について説明する。
【００４６】
電力制御部２６０は、ＣＰＬＤ（Ｃｏｍｐｌｅｘ  Ｐｒｏｇｒａｍｍａｂｌｅ  Ｌｏｇｉｃ  Ｄｅｖｉｃｅ）である。
【００４７】
電力制御部２６０は、割り込み信号入力部２６１と、パワーモードレジスタ（以下、レジスタと省略する）２６２と、フラグ（変数）２６３と、電力制御信号出力部２６４と、電力管理部２６５と、を備えている。この電力制御部２６０は、上記した割り込み信号Ｉｎｔｅｒｒｕｐｔ＿Ｓ、Ｉｎｔｅｒｒｕｐｔ＿Ｌ、Ｉｎｔｅｒｒｕｐｔ＿Ｏ、Ｉｎｔｅｒｒｕｐｔ＿ＤおよびＩｎｔｅｒｒｕｐｔ＿Ｆを受信したときに、レジスタ２６２の値に応じて、画像形成装置１００の各部の電力制御を行う。
【００４８】
割り込み信号入力部２６１は、前述した割り込み信号Ｉｎｔｅｒｒｕｐｔ＿Ｓ、Ｉｎｔｅｒｒｕｐｔ＿Ｌ、Ｉｎｔｅｒｒｕｐｔ＿Ｏ、Ｉｎｔｅｒｒｕｐｔ＿ＤおよびＩｎｔｅｒｒｕｐｔ＿Ｆを受信する。
【００４９】
レジスタ２６２は、画像形成装置１００の電力状態を示す情報を記憶する。具体的には、画像形成装置１００の電力状態がスタンバイ状態（Ｓ１）の場合には、レジスタ２６２に“０１０”が設定される。また、画像形成装置１００の電力状態が省電力状態（Ｓ２）の場合には、レジスタ２６２に”００１”が設定される。画像形成装置１００の電力状態が電源オフ状態（Ｓ３）の場合には、レジスタ２６２に”１００”が設定される。
【００５０】
フラグ２６３には、節電ボタン５２３からの割り込み信号Ｉｎｔｅｒｒｕｐｔ＿Ｏを有効にするか否かを示す情報が設定される。具体的には、フラグ２６３が“００”に設定される場合には、電力管理部２６５は、節電ボタン５２３からの割り込み信号Ｉｎｔｅｒｒｕｐｔ＿Ｏを無視する。一方、フラグ２６３が“１１”に設定されている場合には、電力制御信号出力部２６４は、節電ボタン５２３からの割り込み信号Ｉｎｔｅｒｒｕｐｔ＿Ｏに応じて、Ｒｅｌａｙ＿ＯＮ信号およびＲｅｌａｙ＿ＯＦＦ信号を出力する。
【００５１】
電力制御信号出力部２６４は、Ｒｅｌａｙ＿ＯＮ信号およびＲｅｌａｙ＿ＯＦＦ信号を出力する。
【００５２】
電力管理部２６５は、割り込み信号入力部２６１が割り込み信号を受信した場合、レジスタ２６２およびフラグ２６３が示す情報に基づいて、電力制御信号出力部２６４がＲｅｌａｙ＿ＯＮ信号およびＲｅｌａｙ＿ＯＦＦ信号を出力するのを制御する。
【００５３】
＜画像形成装置１００の電力遷移図＞
図６は、画像形成装置１００の電力遷移図である。画像形成装置１００は、スタンバイ状態（Ｓ１）、省電力状態（Ｓ２）、および電源オフ状態（Ｓ３）の３つの状態となる。
【００５４】
スタンバイ状態（Ｓ１）は、画像形成装置１００のプリンタ部９１０およびスキャナ部９３０などの画像形成装置１００の各部へ電力が供給される状態であって、プリンタ部９１０による印刷やスキャナ部９３０による原稿の読み取りが可能な状態である。スタンバイ状態（Ｓ１）では、リレー１５４およびリレー１５５がオン状態になっている。これにより、第２電源部１５２からＣＰＵ２１０、ＲＯＭ２２０および画像描写部２４０、操作部５００（節電ボタン５２３を除く）、ＡＤＦ４００（原稿検知センサ４０１を除く）、ファックス部３００（受信検知部３０５を除く）、およびストレージ８００に電力が供給される。また、スタンバイ状態（Ｓ１）では、第３電源部１５３からプリンタ制御部９００、およびスキャナ制御部９２０に電力が供給される。また、スタンバイ状態（Ｓ１）では、第１電源部１５１からセンサユニット６００、ＬＡＮコントローラ７００、操作部５００の節電ボタン５２３、ＡＤＦ４００の原稿検知センサ４０１およびファックス部３００の受信検知部３０５に電力が供給される。
【００５５】
省電力状態（Ｓ２）は、スタンバイ状態（Ｓ１）より消費電力量が小さい状態である。この省電力状態（Ｓ２）は、画像形成装置１００のプリンタ部９１０およびスキャナ部９３０などへの電力の供給が停止される状態であって、プリンタ部９１０による印刷やスキャナ部９３０による原稿の読み取りができない。省電力状態（Ｓ２）では、リレー１５４およびリレー１５５がオフ状態になっている。これにより、第２電源部１５２および第３電源部１５３から電力の供給が停止される。この省電力状態（Ｓ２）では、第１電源部１５１からＲＡＭ２３０、電力制御部２６０、センサユニット６００、ＬＡＮコントローラ７００、操作部５００の節電ボタン５２３、ＡＤＦ４００の原稿検知センサ４０１、およびファックス部３００に電力が供給される。
【００５６】
この省電力状態（Ｓ２）で、以下に列挙するスタンバイ状態（Ｓ１）への移行条件を満たした場合に、省電力状態（Ｓ２）からスタンバイ状態（Ｓ１）に移行する。
【００５７】
・人感センサ６１０により物体が検知された
・節電ボタン５２３が押下された
・ＬＡＮコントローラ７００がプリント要求などのデータを受信した
・ファックス部３００の受信検知部３０５がファクシミリを受信した
・ＡＤＦ４００の原稿検知センサ４０１により原稿が検知された
また、スタンバイ状態（Ｓ１）で、以下に列挙する省電力状態（Ｓ２）への移行条件を満たした場合に、スタンバイ状態（Ｓ１）から省電力状態（Ｓ２）に移行する。
・ＬＡＮコントローラ７００がプリント要求などのデータを受信しないで所定時間が経過した
・操作部５００の操作なしで所定時間が経過した
・節電ボタン５２３が押下された
【００５８】
ここでは、上記した２つの省電力状態（Ｓ２）への移行条件の両方が満たされた場合に画像形成装置１００がスタンバイ状態（Ｓ１）から省電力状態（Ｓ２）に移行する例について説明した。なお、本発明の画像形成装置１００は、上記したいずれか１つの省電力状態（Ｓ２）への移行条件が満たされた場合に、スタンバイ状態（Ｓ１）から省電力状態（Ｓ２）に移行しても良い。
【００５９】
次に、電源オフ状態（Ｓ３）は、省電力状態（Ｓ２）より消費電力量が小さい状態である。この電源オフ状態（Ｓ３）は、ユーザによってスイッチ１５６がオフ状態にされた状態であって、画像形成装置１００の各部への電力が停止される状態である。
スタンバイ状態（Ｓ１）又は省電力状態（Ｓ２）で、ユーザによってスイッチ１５６がオフ状態にされた場合、画像形成装置１００が電源オフ状態（Ｓ３）になる。また、電源オフ状態（Ｓ３）で、ユーザによってスイッチ１５６がオン状態にされた場合、画像形成装置１００がスタンバイ状態（Ｓ１）になる。なお、電源オフ状態（Ｓ３）で、ユーザによってスイッチ１５６がオン状態にされた場合、省電力状態（Ｓ３）になっても良い。
【００６０】
なお、画像形成装置１００は、上記した３つの電力状態以外の電力状態となっても良い。例えば、画像形成装置１００は、上記した電力状態以外にサスペンド状態、ハイバネーション状態などの電力状態となっても良い。サスペンド状態とは、画像形成装置１００がスタンバイ状態（Ｓ１）に高速で復帰可能な状態である。このサスペンド状態では、ＲＡＭ２３０への電力の供給が維持されている。画像形成装置１００は、ＲＡＭ２３０に記憶した画像形成装置１００の状態を用いてスタンバイ状態（Ｓ１）に起動する。また、ハイバネーション状態も、画像形成装置１００がスタンバイ状態（Ｓ１）に高速で復帰可能な状態である。このハイバネーション状態では、電力状態が電源オフ状態（Ｓ３）と同様であって、画像形成装置１００の各部への電力供給は停止される。ただし、電源オフ状態（Ｓ３）と異なるのは、ハイバネーション状態に移行する前に、画像形成装置１００の状態がストレージ８００に記憶されることである。ハイバネーション状態からスタンバイ状態（Ｓ１）に復帰する場合には、画像形成装置１００は、ストレージ８００に記憶された情報に基づいて高速復帰する。
【００６１】
＜人感センサ６１０による割り込みが発生したときの電力制御部２６０の動作について＞
次に、図８を参照して、人感センサ６１０による割り込みが発生したときの電力制御部２６０の動作について説明する。電力制御部２６０が図８のフローチャートに基づくプログラムを実行することにより、以下の動作が実行される。
【００６２】
人感センサ６１０によって物体が検知され、制御回路６２０によって物体が画像形成装置１００に接近したと判断された場合、人感センサ６１０による割り込み信号Ｉｎｔｅｒｒｕｐｔ＿Ｓが電力制御部２６０に入力される（Ｓ１００）。割り込み信号Ｉｎｔｅｒｒｕｐｔ＿Ｓが入力された電力制御部２６０は、レジスタ２６２の値を確認する（Ｓ１０１）。レジスタ２６２の値が”０１０”（画像形成装置１００の電力状態がスタンバイ状態（Ｓ１）であることを示す情報）の場合、電力制御部２６０の処理は終了する。レジスタ２６２の値が”００１”（画像形成装置１００の電力状態が省電力状態（Ｓ２）であることを示す情報）の場合、節電ボタン５２３による割り込みを無効化する（Ｓ１０２）。具体的には、電力制御部２６０の電力管理部２６５がフラグ２６３を“００”に設定する。これにより、画像形成装置１００が省電力状態からスタンバイ状態に復帰している最中に節電ボタン５２３からの割り込みが発生しなくなる。そして、電力制御部２６０は、リレー１５４およびリレー１５５に対してＲｅｌａｙ＿ＯＮ信号を出力する（Ｓ１０３）。これにより、リレー１５４およびリレー１５５がオン状態になって、第２電源部１５２からＣＰＵ２１０などに電力が供給されると共に第３電源部１５３からプリンタ制御部９００などに電力が供給される。上記した「節電ボタン５２３による割り込みを無効化する」とは、節電ボタン５２３による割り込み信号Ｉｎｔｅｒｒｕｐｔ＿Ｏが入力されても、電力管理部２６５が当該信号Ｉｎｔｅｒｒｕｐｔ＿Ｏを無視するように制御することを意味する。なお、「節電ボタン５２３による割り込みを無効化する」とは、割り込み信号Ｉｎｔｅｒｒｕｐｔ＿Ｏが電力制御部２６０に入力されないように制御しても良い。
【００６３】
そして、電力制御部２６０は、画像形成装置１００の電力状態がスタンバイ状態（Ｓ１）になったか否かを判断する（Ｓ１０４）。具体的には、電力制御部２６０は、ＣＰＵ２１０から画像形成装置１００の電力状態がスタンバイ状態（Ｓ１）になったことが通知された場合に、画像形成装置１００の電力状態がスタンバイ状態（Ｓ１）になったと判断する（Ｓ１０４：Ｙｅｓ）。画像形成装置１００の電力状態がスタンバイ状態（Ｓ１）になったことがＣＰＵ２１０から通知された場合、電力制御部２６０は、レジスタ２６２の値を”０１０”に設定する（Ｓ１０５）。そして、電力制御部２６０は、節電ボタン５２３による割り込みの無効化を解除する。具体的には、電力制御部２６０のフラグ２６３を”１１”に設定する（Ｓ１０６）。
【００６４】
＜節電ボタン５２３による割り込みが発生したときの電力制御部２６０の動作について＞
次に、図９を参照して、節電ボタン５２３による割り込みが発生したときの電力制御部２６０の動作について説明する。電力制御部２６０が図９のフローチャートに基づくプログラムを実行することにより、以下の動作が実行される。
【００６５】
節電ボタン５２３が押下された場合、節電ボタン５２３による割り込み信号Ｉｎｔｅｒｒｕｐｔ＿Ｏが電力制御部２６０に入力される（Ｓ２００）。割り込み信号Ｉｎｔｅｒｒｕｐｔ＿Ｏが入力された電力制御部２６０は、節電ボタン５２３による割り込みが無効化されているか否かを判断する（Ｓ２０１）。具体的には、電力制御部２６０は、フラグ２６３が“００”に設定されているか否かを判断する。フラグ２６３が“００”に設定されている場合には（Ｓ２０１：Ｙｅｓ）、電力制御部２６０の処理は終了する。
【００６６】
フラグ２６３が“１１”に設定されている場合には（Ｓ２０１：Ｎｏ）、レジスタ２６２の値を確認する（Ｓ２０２）。レジスタ２６２の値が”０１０”（画像形成装置１００の電力状態がスタンバイ状態（Ｓ１）であることを示す情報）の場合、電力制御部２６０は、リレー１５４およびリレー１５５のそれぞれにＲｅｌａｙ＿ＯＦＦ信号を出力する（Ｓ２０３）。これにより、リレー１５４およびリレー１５５がオフ状態になって、第２電源部１５２からＣＰＵ２１０などへの電力の供給が停止されると共に第３電源部１５３からプリンタ制御部９００などへの電力の供給が停止される。そして、電力制御部２６０は、レジスタ２６２の値を”００１”に設定する（Ｓ２０４）。具体的には、電力制御部２６０は、ＣＰＵ２１０から画像形成装置１００の電力状態が省電力状態（Ｓ２）であることが通知されたときに、レジスタ２６２の値を”００１”に設定する。
【００６７】
一方、レジスタ２６２の値が”００１”（画像形成装置１００の電力状態が省電力状態（Ｓ２）であることを示す情報）の場合（Ｓ２０２）、リレー１５４およびリレー１５５に対してＲｅｌａｙ＿ＯＮ信号を出力する（Ｓ２０５）。これにより、リレー１５４およびリレー１５５がオン状態になって、第２電源部１５２からＣＰＵ２１０などに電力が供給されると共に第３電源部１５３からプリンタ制御部９００などに電力が供給される。そして、電力制御部２６０は、レジスタ２６２の値を”０１０”に設定する（Ｓ２０６）。具体的には、電力制御部２６０は、ＣＰＵ２１０から画像形成装置１００の電力状態がスタンバイ状態（Ｓ１）であることが通知されたときに、レジスタ２６２の値を”０１０”に設定する。
【００６８】
第１実施形態では、人感センサ６１０の割り込みによって画像形成装置１００が省電力状態（Ｓ２）から復帰している間に、節電ボタン５２３が押下されたとしても、画像形成装置１００が省電力状態（Ｓ２）に移行するのを制限することができる。
【００６９】
＜他の割り込みが発生したときの電力制御部２６０の動作について＞
次に、図１０を参照して、人感センサ６１０による割り込み、及び節電ボタン５２３による割り込み以外の割り込み（以下の３つ）が発生したときの電力制御部２６０の動作について説明する。電力制御部２６０が図１０のフローチャートに基づくプログラムを実行することにより、以下の動作が実行される。
【００７０】
・ＬＡＮコントローラ７００が外部装置１０１から印刷要求などの特定のパケットを受信した（割り込み信号Ｉｎｔｅｒｒｕｐｔ＿Ｏが電力制御部２６０に入力された）
・原稿検知センサ４０１が原稿を検知した（割り込み信号Ｉｎｔｅｒｒｕｐｔ＿Ｄが電力制御部２６０に入力された）
・または受信検知部３０５がファクシミリデータを受信した（割り込み信号Ｉｎｔｅｒｒｕｐｔ＿Ｆが電力制御部２６０に入力された）
電力制御部２６０は、上記した割り込みが発生した場合（Ｓ３００）、レジスタ２６２の値を確認する（Ｓ３０１）。レジスタ２６２の値が”０１０”（画像形成装置１００の電力状態がスタンバイ状態（Ｓ１）であることを示す情報）の場合、電力制御部２６０の処理は終了する。一方、レジスタ２６２の値が”００１”（画像形成装置１００の電力状態が省電力状態（Ｓ２）であることを示す情報）の場合、リレー１５４およびリレー１５５に対してＲｅｌａｙ＿ＯＮ信号を出力する（Ｓ３０３）。これにより、リレー１５４およびリレー１５５がオン状態になって、第２電源部１５２からＣＰＵ２１０などに電力が供給されると共に第３電源部１５３からプリンタ制御部９００などに電力が供給される。そして、電力制御部２６０は、レジスタ２６２の値を”０１０”に設定する（Ｓ３０４）。具体的には、電力制御部２６０は、ＣＰＵ２１０から画像形成装置１００の電力状態がスタンバイ状態（Ｓ１）であることが通知されたときに、レジスタ２６２の値を”０１０”に設定する。
【００７１】
（第２実施形態）
第１実施形態では、スタンバイ状態（Ｓ１）に復帰した場合、節電ボタン５２３による割り込みの無効化を解除する例について説明した。この第２実施形態では、節電ボタン５２３による割り込みを無効化した後、所定時間が経過したときに、節電ボタン５２３による割り込みの無効化を解除する。
【００７２】
以下、図１１を参照して、人感センサ６１０による割り込みが発生したときの電力制御部２６０の動作について説明する。電力制御部２６０が図１１のフローチャートに基づくプログラムを実行することにより、以下の動作が実行される。
【００７３】
人感センサ６１０によって物体が画像形成装置１００に接近したと判断された場合、人感センサ６１０による割り込み信号が電力制御部２６０に入力される（Ｓ４００）。当該割り込み信号が入力された電力制御部２６０は、レジスタ２６２の値を確認する（Ｓ４０１）。レジスタ２６２の値が”０１０”（画像形成装置１００の電力状態がスタンバイ状態（Ｓ１）であることを示す情報）の場合、電力制御部２６０の処理は終了する。レジスタ２６２の値が”００１”（画像形成装置１００の電力状態が省電力状態（Ｓ２）であることを示す情報）の場合、節電ボタン５２３による割り込みを無効化する。具体的には、電力制御部２６０のフラグ２６３を”００”に設定する（Ｓ４０２）。そして、電力制御部２６０は、リレー１５４およびリレー１５５に対してＲｅｌａｙ＿ＯＮ信号を出力する（Ｓ４０３）。これにより、リレー１５４およびリレー１５５がオン状態になって、第２電源部１５２からＣＰＵ２１０などに電力が供給されると共に第３電源部１５３からプリンタ制御部９００などに電力が供給される。
【００７４】
そして、電力制御部２６０は、節電ボタン５２３による割り込みを無効化した後、所定時間が経過したか否かを判断する（Ｓ４０４）。具体的には、電力制御部２６０は、所定時間が経過したと判断した場合、レジスタ２６２の値を”０１０”に設定する（Ｓ４０５）。そして、電力制御部２６０は、節電ボタン５２３による割り込みの無効化を解除する。具体的には、電力制御部２６０のフラグ２６３を”１１”に設定する（Ｓ４０６）。
【００７５】
（第３実施形態）
上記した第１実施形態では、赤外線アレイ型センサの人感センサ６１０を用いる例について説明した。この第３実施形態の画像形成装置１０００のセンサユニット１６００は、１次センサ１６１１、２次センサ１６１２、および制御回路１６２０を備えている。
【００７６】
１次センサ１６１１は、画像形成装置１０００の周囲の物体の動きを検出するセンサである。この１次センサ１６１１は、焦電素子の焦電効果を用いた赤外線センサである。１次センサは１６１１の検知範囲ＳＡは、２次センサ１６１２の検知範囲ＳＢより広い。１次センサ１６１１の検知範囲ＳＡで人などの物体の動きが検知された場合、当該１次センサ１６１１は、制御回路１６２０に検知信号を出力する。１次センサ１６１１により物体の動きが検知された場合、２次センサ１６１２に電力が供給される。これにより、２次センサ１６１２が物体の検知動作を開始する。
【００７７】
２次センサ１６１２は、人などの物体の存在の有無を検知するセンサである。この２次センサ１６１２は、赤外線を出力する出力部と、当該出力部から出力された赤外線の反射光を受光する受光部と、を有する反射型の赤外線センサである。２次センサは１６１２の検知範囲ＳＢは、１次センサ１６１１の検知範囲ＳＡより狭い。２次センサ１６１２が物体の存在を検知した場合、当該２次センサ１６１２は、制御回路１６２０に検知信号を出力する。２次センサ１６１２により物体の存在が検知された場合、制御回路１６２０が人感センサによる割り込み信号Ｉｎｔｅｒｒｕｐｔ＿Ｓを電力制御部２６０に出力する。
【００７８】
割り込み信号Ｉｎｔｅｒｒｕｐｔ＿Ｓを受信した電力制御部２６０の動作は、上記第１実施形態の図８と同様なので、その説明を割愛する。
【００７９】
（その他の実施形態）
以上、本発明の好適な実施形態に基づいて詳述してきたが、本発明はこれら特定の実施形態に限られるものではなく、この発明の要旨を逸脱しない範囲の様々な形態も本発明に含まれる。また、上述の実施形態の一部を適宜組み合わせてもよい。
【００８０】
上記した実施形態では、電力制御部２６０がプログラムを実行することによって、図８、図９および図１０の各ステップを実行する例について説明したが、当該各ステップの実行をハードウェアロジック回路で実現しても良い。
【００８１】
本実施形態におけるフローチャートに示す機能は、ネットワーク又は各種記憶媒体を介して取得したソフトウエア（プログラム）をコンピュータパソコン等の処理装置（ＣＰＵ、プロセッサ）にて実行することでも実現できる。
【符号の説明】
【００８２】
１００、１０００  画像形成装置
２６０  電力制御部（移行手段、制限手段）
２６２  レジスタ
２６３  フラグ（変数）
６００、１６００  センサユニット
６１０  人感センサ（検知手段）
５２３  節電ボタン（受付手段）
【図１】
2014200996.tif 000003
【図２】
2014200996.tif 000004
【図３】
2014200996.tif 000005
【図４】
2014200996.tif 000006
【図５】
2014200996.tif 000007
【図６】
2014200996.tif 000008
【図７】
2014200996.tif 000009
【図８】
2014200996.tif 000010
【図９】
2014200996.tif 000011
【図１０】
2014200996.tif 000012
【図１１】
2014200996.tif 000013
【図１２】
2014200996.tif 000014
【図１３】
2014200996.tif 000015